(57)【要約】【課題】本発明は、画像処理装置の利用性を向上させつつ消費電力を削減する。【解決手段】画像処理装置のシステム部２１は、電力状態を制御する状態管理制御部３１による、主要各部への供給電力を遮断または削減する省電力モードあるいは主電力を遮断する主電力遮断モード等の省電力状態への移行要因である省電力移行要因を、移行開始判定部３２が検出すると、移行開始判定部３２が、状態管理制御部３１に該省電力移行要因に応じた省電力状態へ移行させるが、移行開始延長要因判定部３３が、省電力状態への移行の延期要因であって、ユーザによる装置の利用性に対応した延期要因を省電力延期要因として検出すると、少なくとも移行開始延長要因判定部３３が該省電力延期要因を検出している間は、状態管理制御部３１による該省電力状態への移行を延期させる。【選択図】          図３
2014011755.tif 000002
【特許請求の範囲】
【請求項１】
電力状態を制御する電力制御手段と、
前記電力制御手段による、主要各部への供給電力を遮断または削減する省電力モードあるいは主電力を遮断する主電力遮断モード等の省電力状態への移行要因である省電力移行要因の検出を行う省電力移行要因検出手段と、
前記電力制御手段による前記省電力状態への移行の延期要因であって、ユーザによる装置の利用性に対応した延期要因を省電力延期要因として検出する省電力延期要因検出手段と、
前記省電力移行要因検出手段が前記省電力移行要因を検出すると、前記電力制御手段に該省電力移行要因に応じた省電力状態へ移行させるとともに、少なくとも前記省電力延期要因検出手段が前記省電力延期要因を検出している間は、該電力制御手段による該省電力状態への移行を延期させる省電力移行規制手段と、
を備えていることを特徴とする画像処理装置。
【請求項２】
前記画像処理装置は、
各種動作指示操作を行う操作手段を備え、
前記省電力延期要因検出手段は、
前記省電力延期要因として、前記操作手段の操作状態を検出することを特徴とする請求項１記載の画像処理装置。
【請求項３】
前記画像処理装置は、
前記画像処理装置から所定範囲の人体を検知する人体検知手段を備え、
前記省電力延期要因検出手段は、
前記省電力延期要因として、前記人体検知手段による人体の検知状態を検出することを特徴とする請求項１または請求項２記載の画像処理装置。
【請求項４】
前記画像処理装置は、
周囲環境の照度を検知する照度検知手段を備え、
前記省電力延期要因検出手段は、
前記省電力延期要因として、前記照度検知手段による所定照度を越える照度の検知状態を検出することを特徴とする請求項１から請求項３のいずれかに記載の画像処理装置。
【請求項５】
前記画像処理装置は、
前記省電力延期要因に基づく前記省電力状態への移行の延期を無効にする無効要因であって、該延長の無効が前記ユーザによる装置の利用性を阻害する要因から解除されている無効要因を省電力延期無効要因として検出する省電力延期無効要因検出手段を備え、
前記省電力移行規制手段は、
前記省電力延期無効要因検出手段が、前記省電力延期要因に対応する前記省電力延期無効要因を検出すると、該省電力延期要因に基づく前記省電力状態への移行の延期を無効することを特徴とする請求項１から請求項４のいずれかに記載の画像処理装置。
【請求項６】
前記画像処理装置は、
前記電力制御手段による前記省電力状態への移行を中止する中止要因を検出する中止要因検出手段を備え、
前記省電力移行規制手段は、
前記電力制御手段による前記省電力状態への移行において、前記中止要因検出手段が前記中止要因を検出すると、該省電力状態への移行を中止することを特徴とする請求項１から請求項５のいずれかに記載の画像処理装置。
【請求項７】
電力状態を制御する電力制御処理ステップと、
前記電力制御処理ステップによる、主要各部への供給電力を遮断または削減する省電力モードあるいは主電力を遮断する主電力遮断モード等の省電力状態への移行要因である省電力移行要因の検出を行う省電力移行要因検出処理ステップと、
前記電力制御処理ステップによる前記省電力状態への移行の延期要因であって、ユーザによる装置の利用性に対応した延期要因を省電力延期要因として検出する省電力延期要因検出処理ステップと、
前記省電力移行要因検出処理ステップで前記省電力移行要因が検出されると、前記電力制御処理ステップで該省電力移行要因に応じた省電力状態へ移行させるとともに、少なくとも前記省電力延期要因検出処理ステップで前記省電力延期要因が検出されている間は、該電力制御処理ステップでの該省電力状態への移行を延期させる省電力移行規制処理ステップと、
を有することを特徴とする省電力制御方法。
【請求項８】
コンピュータに、
電力状態を制御する電力制御処理と、
前記電力制御処理による、主要各部への供給電力を遮断または削減する省電力モードあるいは主電力を遮断する主電力遮断モード等の省電力状態への移行を要求する省電力移行要因の検出を行う省電力移行要因検出処理と、
前記電力制御処理による前記省電力状態への移行の延期要求であって、ユーザによる装置の利用性に対応した延期要因を省電力延期要因として検出する省電力延期要因検出処理と、
前記省電力移行要因検出処理で前記省電力移行要因が検出されると、前記電力制御処理で該省電力移行要因に応じた省電力状態へ移行させるとともに、少なくとも前記省電力延期要因検出処理で前記省電力延期要因が検出されている間は、該電力制御処理での該省電力状態への移行を延期させる省電力移行規制処理と、
を実行させることを特徴とする省電力制御プログラム。
【発明の詳細な説明】
【技術分野】
【０００１】
本発明は、画像処理装置、省電力制御方法及び省電力制御プログラムに関し、詳細には、利用性を向上させつつ消費電力を削減する画像処理装置、省電力制御方法及び省電力制御プログラムに関する。
【背景技術】
【０００２】
プリンタ装置、複合装置、ファクシミリ装置、複写装置、コンピュータ等の画像処理装置においては、近年の省エネルギーの要望から待機状態で所定の待ち時間が経過すると、所定各部への電力供給を遮断したり、供給電力量を削減する省電力状態（省エネルギー状態）に移行し、所定の復帰要因に基づいて電力の供給を再開して通常動作可能な待機状態に復帰する省電力モードを備えている。
【０００３】
また、従来、予め設定されている時刻になったり、周囲の環境照明が所定照度以下に低下すると、省電力モードに移行したり、主電力を遮断することで、毎日の業務形態等の利用形態に合わせて、自動で消費電力を抑制する技術が用いられている。
【０００４】
ところが、このような従来の省電力移行時間や部屋の明るさで省電力モードへ移行したり、主電力を遮断すると、ユーザの操作中にいきなり省電力モードへの移行が発生する等の利用性の悪い状態が発生していた。
【０００５】
そして、従来、印刷完了時刻が予め設定されている電源遮断時刻を超過する場合には、新たな印刷を受け付けない技術が提案されている（特許文献１参照）。
【発明の概要】
【発明が解決しようとする課題】
【０００６】
しかしながら、上記従来技術にあっては、所定時刻になったり照度が低下すると省電力モードに移行したり、主電力が遮断され、また、公報記載の従来技術にあっては、印刷完了時刻が電源遮断時刻を超過する場合に、新たな印刷を受け付けないようになっているのみであるため、画像処理装置の利用性を向上させる上で、改良の必要があった。
【０００７】
すなわち、上記従来技術にあっては、ユーザが画像処理装置を操作等によって、省電力モードへの移行時刻を延長したり、ユーザが画像処理装置の近くにいるにもかかわらず、所定時刻になったり、照度が低下すると、省電力モードに移行したり、主電力が遮断される。その結果、省電力モードに移行したり、主電力が遮断された画像処理装置を利用しようとすると、省電力モードから復帰させたり、主電力を投入する必要があり、利用可能になるまでに時間を要して、利用性が悪いという問題があった。
【０００８】
また、公報記載の従来技術にあっては、ユーザ操作等で電源遮断時刻を延長させることができず、緊急性を要する印刷を行なうことができない等のユーザの利用性を損なうおそれがあった。
【０００９】
そこで、本発明は、利用性の向上を図りつつ、消費電力を削減する省電力制御を行うことを目的としている。
【課題を解決するための手段】
【００１０】
上記目的を達成するために、請求項１記載の画像処理装置は、電力状態を制御する電力制御手段と、前記電力制御手段による、主要各部への供給電力を遮断または削減する省電力モードあるいは主電力を遮断する主電力遮断モード等の省電力状態への移行要因である省電力移行要因の検出を行う省電力移行要因検出手段と、前記電力制御手段による前記省電力状態への移行の延期要因であって、ユーザによる装置の利用性に対応した延期要因を省電力延期要因として省電力延期要因の検出を行う省電力延期要因検出手段と、前記省電力移行要因検出手段が前記省電力移行要因を検出すると、前記電力制御手段に該省電力移行要因に応じた省電力状態へ移行させるとともに、少なくとも前記省電力延期要因検出手段が前記省電力延期要因を検出している間は、該電力制御手段による該省電力状態への移行を延期させる省電力移行規制手段と、を備えていることを特徴としている。
【発明の効果】
【００１１】
本発明によれば、利用性の向上を図りつつ、消費電力を削減する省電力制御を行うことができる。
【図面の簡単な説明】
【００１２】
【図１】本発明の第１実施例を適用した画像処理装置のブロック構成図。
【図２】コントローラのソフトウェア構成を示す図。
【図３】システム部の機能モジュール構成図。
【図４】省電力制御処理を示すフローチャート。
【図５】省電力への移行中止を伴う省電力制御処理を示すフローチャート。
【図６】本発明の第２実施例のシステム部の機能モジュール構成図。
【図７】第２実施例の省電力制御処理を示すフローチャート。
【発明を実施するための形態】
【００１３】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１４】
図１〜図５は、本発明の画像処理装置、省電力制御方法及び省電力制御プログラムの第１実施例を示す図であり、図１は、本発明の画像処理装置、省電力制御方法及び省電力制御プログラムの第１実施例を適用した画像処理装置１のブロック構成図である。
【００１５】
図１において、画像処理装置１は、コントローラ２、エンジン３及びオペレーションパネル４等を備えており、コントローラ２は、ＣＰＵ（Central Processing Unit ）１１、プログラムＲＯＭ（Read Only Memory）１２、ＲＡＭ（Random Access Memory）１３、ＮＶＲＡＭ（Non-Volatile Random Access Memory）１４、ネットワークＩ／Ｆ（インターフェイス）１５、エンジンＩ／Ｆ１６、パネルＩ／Ｆ１７及び図示しないハードディスク（ＨＤＤ）等を備えていて、各部は、バス１８で接続されている。
【００１６】
ネットワークＩ／Ｆ１５には、ＬＡＮ（Local Area Network）等の通信回線が接続されており、通信回線には、画像処理装置１に印刷要求を行なったり、画像処理装置１から画像データを受け取るホストコンピュータＰｃ等が接続されている。ネットワークＩ／Ｆ１５は、通信回線を介してホストコンピュータＰｃから送信されてくる制御信号及びデータ（印刷データ等）等からなる印刷ジョブを受け取るとともに、画像処理装置１からホストコンピュータＰｃに送信するステータス信号や画像データ等の送り出しを行うインターフェイスである。
【００１７】
ネットワークＩ／Ｆ１５に接続されるホストコンピュータＰｃは、通常のハードウェア構成及びソフトウェア構成のパーソナルコンピュータ等であり、画像処理装置１に、任意のＰＤＬ（Page Description Language：ページ記述言語）で生成された印刷データ及びＰＪＬ（Printer Job Language）による制御コマンド（印刷制御データ）等からなる印刷ジョブを、プリンタドライバによって生成して、ネットワークを介して画像処理装置１に送信する。また、ホストコンピュータＰｃは、画像処理装置１で読み取られた原稿の画像データを受信する。
【００１８】
ＲＯＭ１２は、コントローラ２内でのデータの処理や管理及び周辺モジュールを制御するためのプログラム、具体的には、画像処理装置１としての基本処理プログラム及び本発明の省電力制御方法を実行する省電力制御プログラム等の各種プログラムを格納しているとともに、これらの各プログラムを実行するのに必要な各種データを格納している。
【００１９】
ＣＰＵ１１は、ＲＯＭ１２に格納されているプログラムに基づいて、ＲＡＭ１３をワークメモリとして利用しつつ、画像処理装置１の各部を制御して、印刷処理、スキャナ処理等の画像処理を行うとともに、後述する省電力制御方法を実行する。
【００２０】
ＲＡＭ１３は、ＣＰＵ１１のワークメモリとして利用されるとともに、ホストコンピュータＰｃからの印刷データやエンジン３のスキャナで読み取られた画像データをページ単位に管理して一時記憶するフレームメモリ及びフレームメモリに記憶されたデータを実際の印刷に適した描画データに変換して展開されるビットマップメモリ等として利用される。ＲＡＭ１３は、この印刷データまたは印刷データから変換された描画データ、あるいは、中間データ、または、画像データを、複数ページ分蓄積する容量を有している。
【００２１】
ＮＶＲＡＭ１４は、画像処理装置１の電源が切られているときにも記憶内容を保持するメモリであり、画像処理装置１の電源がオフの際にも保持する必要のあるシステム設定値、印刷枚数カウント値、印刷設定及び後述する省電力制御で用いる各種設定情報等がＣＰＵ１１の制御下で格納される。
【００２２】
エンジンＩ／Ｆ１６には、エンジン３が接続されており、エンジンＩ／Ｆ１６は、コントローラ２からエンジン３への制御信号や描画データの出力及びエンジン３からコントローラ２へのステータス信号や読み取り結果の画像データの受け取りを行う。
【００２３】
エンジン３は、プリンタエンジンやスキャナエンジン等を備えており、プリンタエンジンとしては、例えば、電子写真式プリンタ、インクジェットプリンタ等のプリンタエンジンが使用されている。
【００２４】
エンジン３のプリンタエンジンは、ホストコンピュータＰｃから送られてきてネットワークＩ／Ｆ１５が受信した印刷データから変換されてエンジンＩ／Ｆ１６から渡される描画データ及び制御信号に基づいて、給紙部から送られてくる用紙に画像を印刷出力（画像形成出力）して、印刷済みの用紙を、排紙トレイ上に排出する。すなわち、エンジン３のプリンタエンジンは、電子写真方式のエンジンの場合、図示しないが、電子写真方式で用紙に描画データに基づいて印刷処理を行うのに必要な部品、例えば、感光体、帯電部、光書き込み部、現像部、転写部及びクリーニング部等からなる画像形成ユニットを備えており、プリンタエンジンがカラープリンタエンジンであるときには、画像形成ユニットをカラー分、例えば、ＣＭＹＫ分だけ備えている。プリンタエンジンは、描画データ及び制御信号により光書き込み部を動作させて、帯電部による一様に帯電されている感光体上に静電潜像を形成して、現像部によりトナーを感光体上に供給して現像してトナー画像を形成する。プリンタエンジンは、給紙部から用紙を感光体と転写部との間に給紙して、感光体上のトナー画像を転写部によって用紙に転写させ、トナー画像の転写された用紙を定着部に搬送して、定着部で加熱・加圧して用紙上のトナー画像を定着させることで、印刷処理を行う。
【００２５】
エンジン３のスキャナエンジンは、例えば、ＣＣＤ(Charge Coupled Device）を利用したラインイメージセンサ、アナログ／デジタル（Ａ／Ｄ）変換回路及びこれらを駆動する駆動回路等を備えており、一般的にＡＤＦを備えている。ＡＤＦには、複数枚の原稿がセットされ、ＡＤＦは、セットされた原稿を１枚ずつスキャナエンジンの原稿読み取り位置に送給する。スキャナエンジンは、ＡＤＦから搬送されてきた原稿を主走査及び副走査して原稿の濃淡情報から画像を所定の解像度で読み取って、例えば、ＲＧＢ各所定ビット（例えば、各８ビット）の画像データを生成して出力する。なお、スキャナエンジンは、ＣＣＤを用いたものに限るものではなく、例えば、ＣＩＳ（Contact Image Sensor：密着イメージセンサ）やＣＭＯＳ（Complementary Metal Oxide Semiconductor ）を用いたものであってもよい。
【００２６】
パネルＩ／Ｆ１７には、オペレーションパネル４が、ＵＳＢ（Universal Serial Bus）またはシリアルケーブル等によって接続されており、パネルＩ／Ｆ１７は、ＣＰＵ１１とオペレーションパネル４との間の信号の授受を行う。
【００２７】
オペレーションパネル（操作手段）４は、テンキー、スタートキー、モードを選択するモード選択キー等の各種操作キーを備えるとともに、タッチパネル付き液晶表示部等の表示部を備えている。オペレーションパネル４は、操作キーのキー操作や表示部のタッチ操作によって、プリント操作等の各種命令、特に、後述する省電力制御処理に必要な等行われ、表示部には、操作キーから入力された命令内容や画像処理装置１からユーザに通知する各種情報、特に、後述する省電力制御処理に必要な各種情報等が表示される。
【００２８】
ハードディスクは、エンジン３のスキャナエンジンで読み取られた原稿の画像データ、展開された印刷データやホストコンピュータＰｃから送られてきた印刷ジョブ等のデータをＣＰＵ１１の制御下で蓄積し、また、読み出される。
【００２９】
そして、画像処理装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Video Disk）、ＳＤ（Secure Digital）カード、ＭＯ（Magneto-Optical Disc）等のコンピュータが読み取り可能な記録媒体に記録されている本発明の省電力制御方法を実行する省電力制御プログラムを読み込んでＲＯＭ１２やハードディスク等に導入することで、後述する利用性の良好な省電力制御方法を実行する画像処理装置１として構築されている。この省電力制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００３０】
そして、画像処理装置１は、コントローラ２の搭載するソフトウェアが、図２に示すようにブロック構成されており、システム部２１、アプリ部２２、ネットワークＩ／Ｆ２３、エンジンＩ／Ｆ２４及びパネルＩ／Ｆ２５等を有している。
【００３１】
システム部２１は、画像処理装置１全体の動作制御を行ない、アプリ部２２は、システム部２１と連携して、プリンタ処理、スキャナ処理、複写装置処理等の画像処理装置１の各種アプリ（アプリケーション）処理を行う。
【００３２】
ネットワークＩ／Ｆ２３は、ホストコンピュータＰｃとシステム部２１の間で、データや制御コマンドの授受を行ない、エンジンＩ／Ｆ２４は、エンジン３とシステム部２１との間で、制御コマンドやデータの授受を行う。
【００３３】
パネルＩ／Ｆ２５は、オペレーションパネル４とシステム部２１及びアプリ部２２の間で、信号やデータの授受を行う。
【００３４】
そして、コントローラ２のシステム部２１は、本発明の省電力制御プログラムが導入されることで、図３に示すように、すなわち、システム部２１は、状態管理制御部３１、移行開始判定部３２、移行開始延長要因判定部３３及びメモリ部３４等の機能モジュールが構築される。
【００３５】
状態管理制御部３１は、画像処理装置１の状態、特に、電力状態を管理／制御し、電力状態としては、通常動作状態、待機状態、待機状態から省電力モード状態への移行状態、省電力モード状態、省電力モード状態から待機状態への復帰状態及び主電力遮断モードへの遮断移行状態等を管理・制御する。すなわち、状態管理制御部３１は、ＣＰＵ１１によって実現され、電力状態を制御する電力制御手段として機能している。
【００３６】
移行開始判定部３２は、予め設定されている省電力モード移行要因、主電力遮断要因等の省電力移行要因の発生の有無及び省電力復帰要因を検出し、特に、省電力移行要因の発生を検出すると、移行開始延長要因判定部３３に省電力移行要因の発生を通知して、移行開始延長要因判定部３３から延長要求が戻ってこないと、状態管理制御部３１に、該省電力移行要因に応じた電力状態移行処理の開始を指示するトリガを出力して、状態管理制御部３１に該省電力移行要因に応じた省電力状態への移行を開始させる。すなわち、移行開始判定部３２は、ＣＰＵ１１によって実現され、状態管理制御部３１による、主要各部への供給電力を遮断または削減する省電力モードあるいは主電力を遮断する主電力遮断モード等の省電力状態への移行要因である省電力移行要因の検出を行う省電力移行要因検出手段及び省電力移行要因を検出すると、状態管理制御部３１に該省電力移行要因に応じた省電力状態へ移行させるとともに、少なくとも後述する省電力延期要因検出手段である移行開始延長要因判定部３３が省電力延期要因を検出している間は、該状態管理制御部３１による該省電力状態への移行を延期させる省電力移行規制手段として機能している。
【００３７】
この移行開始判定部３２は、省電力モード移行要因としては、例えば、画像処理の実行可能な通常電力状態で画像処理要求が発生するのを待つ待機状態が予め設定されている待機時間経過したこと、省電力移行時刻として予め設定されている省電力移行設定時刻に現在時刻がなったこと、画像処理装置１の設置環境の環境照明が予め設定されている所定照度以下に低下したこと、画像処理装置１の周囲所定範囲内に人がいないこと等の予め設定されている要因を検出し、省電力モード状態から待機状態への省電力復帰要因としては、例えば、オペレーションパネル４の操作、エンジン３のスキャナエンジンの原稿台への原稿セット、オペレーションパネル４の省電力復帰キーの操作等の予め設定されている要因を検出する。また、移行開始判定部３２は、主電力遮断要因として、例えば、予め設定されている主電力遮断時刻に現在時刻がなったこと、画像処理装置１１の周囲所定範囲内に人がいない状態が所定時間継続したこと等の予め設定されている要因を検出する。
【００３８】
そして、画像処理装置１は、図１等では図示していないが、上記各要因の発生を検出するためのデバイス、例えば、現在時刻を計時する時計機構、周囲環境の照度を検出する照度センサ（照度検知手段）、周囲所定範囲に人がいるか否かを検出する人感センサ（人体検知手段）、原稿台に原稿がセットされているか否かを検出する原稿センサ等が設けられており、各デバイスの検出信号がコントローラ２のＣＰＵ１１によって構築されている移行開始判定部３２に入力される。
【００３９】
移行開始延長要因判定部３３は、移行開始判定部３２から省電力移行要因発生通知があると、メモリ部３４に登録されている延長要因情報Ｊｅの延長要因の発生の有無を検出して、延長要因が発生していると、該延長要因が発生している間、移行開始判定部３２に状態管理制御部３１への省電力状態移行処理開始トリガの出力を延長させる延長要求を出力する。
【００４０】
メモリ部３４の延長要因情報Ｊｅは、例えば、印刷やスキャナ等の画像処理動作中状態、オペレーションパネル４の操作状態、人感センサによる周囲所定範囲内に人がいることの検出状態、照度センサによる周囲環境照度が所定照度を越えていることの検出状態、画像処理装置１の本体筐体に設けられている開閉扉等の扉の開状態の検出状態等のように、ユーザが画像処理装置１を所定時間内に利用する可能性が高い等のユーザにとって利用性を向上させるのには電力状態を継続することが必要な状態等が延長要因として登録されている。すなわち、延長要因情報Ｊｅには、ユーザによる画像処理装置１の利用性を向上させるために、画像処理装置１を省電力状態へ移行させないことが要求される要因が、延長要因として登録されている。
【００４１】
なお、この延長要因情報Ｊｅには、延長要因だけでなく、延長要因毎に、延長する延長時間情報も登録して、移行開始延長要因判定部３３が、該延長時間情報に応じて、移行開始判定部３２に出力する延長要求の時間を調整するようにしてもよい。例えば、延長要因が、オペレーションパネル４の操作であると、ユーザが必ず近くにいて画像処理装置１に対して画像処理要求操作を行う可能性が高いため、延長要求を出力する延長時間を長くし、延長要因が、印刷中等であると、ユーザが近くにいない可能性があるため、延長時間を短めに設定して、印刷状態が解消されると、速やかに延長要求の出力を終了させて、移行開始判定部３２に状態管理制御部３１へ省電力状態移行処理開始トリガを出力させる。
【００４２】
次に、本実施例の作用を説明する。本実施例の画像処理装置１は、利用性の向上を図りつつ、消費電力を削減する省電力制御を行う。
【００４３】
すなわち、画像処理装置１は、ＣＰＵ１１の省電力制御プログラムによる動作制御によって、図４に示すように、状態管理制御部３１が画像処理装置１の電力状態を管理し、移行開始判定部３２が、省電力モード移行要因、主電力遮断要因等の省電力移行要因の発生の有無を検出し（ステップＳ１０１）、省電力移行要因の発生を検出しないとき（ステップＳ１０１で、無のとき）には、所定周期で、再度、省電力移行要因の発生の有無の検出を行う（ステップＳ１０１）。
【００４４】
ステップＳ１０１で、移行開始判定部３２は、省電力移行要因の発生を検出すると（ステップＳ１０１で、有のとき）、移行開始延長要因判定部３３に省電力移行要因の発生を通知して、移行開始延長要因判定部３３から延長要求があるかチェックし（ステップＳ１０２）、延長要求があると（ステップＳ１０２で、有のとき）、該延長要求がなくなるまで、所定周期で、延長要求があるかチェックする（ステップＳ１０２）。
【００４５】
そして、移行開始延長要因判定部３３は、移行開始判定部３２から省電力移行要因発生通知があると、メモリ部３４に登録されている延長要因情報Ｊｅの延長要因の発生の有無を検出して、延長要因が発生していると、該延長要因が発生している間、移行開始判定部３２に状態管理制御部３１への省電力状態移行処理開始トリガの出力を延長させる延長要求を出力する。
【００４６】
移行開始判定部３２は、ステップＳ１０２で、移行開始延長要因判定部３３からの延長要求がないとき（ステップＳ１０２で、無のとき）には、移行設定されている省電力状態への移行、例えば、省電力モードまたは主電力遮断モードへの移行が可能な状態であるか判定する（ステップＳ１０３）。例えば、移行開始判定部３２は、現在印刷動作中であるときやスキャナ動作中等であるときには、省電力モードまたは主電力遮断モード東庄電力状態への移行が可能な状態ではないと判定し、該動作が完了するまで待って、該動作が完了すると、移行設定されている省動作状態への移行が可能であると判定する。
【００４７】
移行開始判定部３２は、ステップＳ１０３で、移行設定されている省動作状態への移行が不可能であると（ステップＳ１０３で、ＮＯのとき）、ステップＳ１０２に移行して、延長要求の有無のチェックから上記同様に処理する（ステップＳ１０２、Ｓ１０３）。
【００４８】
移行開始判定部３２は、ステップＳ１０３で、移行設定されている省動作状態への移行が不可能であると（ステップＳ１０３で、ＹＥＳのとき）、状態管理制御部３１に省電力状態移行処理開始トリガを出力して、状態管理制御部３１が、省電力モードまたは主電力遮断モード等の省電力状態への移行処理を開始して、省電力制御処理を終了する（ステップＳ１０４）。
【００４９】
なお、画像処理装置１は、上記延長要因によって、移行開始判定部３２から状態管理制御部３１への省電力状態移行処理開始トリガの出力を延期している間に、図５に示すように、移行中止トリガがあると、状態管理制御部３１への省電力状態移行処理開始トリガの出力を中止して、省電力モードまたは主電力遮断モードへの移行を中止してもよい。なお、図５の説明においては、図４と同様の処理ステップには、同一のステップ番号を付与して、その説明を簡略化する。
【００５０】
すなわち、画像処理装置１は、図５に示すように、移行開始判定部３２が、省電力移行要因の発生の有無を検出して（ステップＳ１０１）、省電力移行要因の発生を検出すると、移行開始延長要因判定部３３に省電力移行要因の発生を通知し、移行開始延長要因判定部３３から延長要求があるかチェックする（ステップＳ１０２）。
【００５１】
移行開始判定部３２は、移行開始延長要因判定部３３から延長要求があると（ステップＳ１０２で、有のとき）、該延長要求がなくなるまで、所定周期で、延長要求があるかチェックし（ステップＳ１０２）、移行開始延長要因判定部３３からの延長要求がなくなると、移行中止トリガ（中止要因）の有無をチェックする（ステップＳ１１１）。
【００５２】
この移行中止トリガは、延長要因の発生等によって、省電力への移行開始が延長されている間に、予め設定されている省電力復帰時刻になった場合、省電力復帰要因が発生した場合等のように省電力モードや主電力遮断への移行がユーザの意図によってキャンセルされたと判断できる場合に発生され、移行開始延長要因判定部３３が、この移行中止トリガの検知を行う。
【００５３】
ステップＳ１１１で、移行中止トリガを検知しないとき（ステップＳ１１１で、無のとき）には、移行開始判定部３２は、移行設定されている省電力状態への移行が可能な状態であるか判定し（ステップＳ１０３）、移行設定されている省電力状態への移行が不可能であると、ステップＳ１０２に移行して、延長要求の有無のチェックから上記同様に処理する（ステップＳ１０２、Ｓ１１１、Ｓ１０３）。
【００５４】
移行開始判定部３２は、ステップＳ１０３で、移行設定されている省電力状態への移行が不可能であると、状態管理制御部３１に省電力状態移行処理開始トリガを出力して、状態管理制御部３１が、省電力モードまたは主電力遮断モードへの移行処理を開始して、省電力制御処理を終了する（ステップＳ１０４）。
【００５５】
一方、ステップＳ１１１で、移行中止トリガを検知すると、移行開始判定部３２は、ユーザの意図による移行中止が発生したと判断して、省電力モードへの移行を中止して、そのまま省電力制御処理を終了する。
【００５６】
このように、本実施例の画像処理装置１は、電力状態を制御する状態管理制御部（電力制御手段）３１と、状態管理制御部３１による、主要各部への供給電力を遮断または削減する省電力モードあるいは主電力を遮断する主電力遮断モード等の省電力状態への移行要因である省電力移行要因の検出を行う移行開始判定部（省電力移行要因検出手段）３２と、状態管理制御部３１による前記省電力状態への移行の延期要因であって、ユーザによる装置の利用性に対応した延期要因を延長要因（省電力延期要因）として検出する移行開始延長要因判定部（省電力延期要因検出手段）３３と、前記省電力移行要因を検出すると、状態管理制御部３１に該省電力移行要因に応じた省電力状態へ移行させるとともに、少なくとも移行開始延長要因判定部３３が前記延長要因を検出している間は、状態管理制御部３１による該省電力状態への移行を延期させる移行開始判定部（省電力移行規制手段）３２と、を備えている。
【００５７】
したがって、省電力モードや主電力遮断モード等の省電力状態への移行を要求する省電力移行要因の発生によって該省電力状態へ移行して消費電力を削減することができるとともに、ユーザの画像処理装置１の利用性に対応した延長要因の発生によって該省電力状態への移行を延期することができ、利用性の向上を図りつつ、消費電力を削減する省電力制御を行うことができる。
【００５８】
また、本実施例の画像処理装置１は、電力状態を制御する電力制御処理ステップと、前記電力制御処理ステップによる、主要各部への供給電力を遮断または削減する省電力モードあるいは主電力を遮断する主電力遮断モード等の省電力状態への移行要因である省電力移行要因の検出を行う省電力移行要因検出処理ステップと、前記電力制御処理ステップによる前記省電力状態への移行の延期要因であって、ユーザによる装置の利用性に対応した延期要因を延長要因として検出する省電力延期要因検出処理ステップと、前記省電力移行要因検出処理ステップで前記省電力移行要因が検出されると、前記電力制御処理ステップで該省電力移行要因に応じた省電力状態へ移行させるとともに、少なくとも前記省電力延期要因検出処理ステップで前記延長要因が検出されている間は、該電力制御処理ステップでの該省電力状態への移行を延期させる省電力移行規制処理ステップと、を有する省電力制御方法を実行している。
【００５９】
したがって、省電力モードや主電力遮断モード等の省電力状態への移行を要求する省電力移行要因の発生によって該省電力状態へ移行して消費電力を削減することができるとともに、ユーザの画像処理装置１の利用性に対応した延長要因の発生によって該省電力状態への移行を延期することができ、利用性の向上を図りつつ、消費電力を削減する省電力制御を行うことができる。
【００６０】
さらに、本実施例の画像処理装置１は、コンピュータに、電力状態を制御する電力制御処理と、前記電力制御処理による、主要各部への供給電力を遮断または削減する省電力モードあるいは主電力を遮断する主電力遮断モード等の省電力状態への移行を要求する省電力移行要因の検出を行う省電力移行要因検出処理と、前記電力制御処理による前記省電力状態への移行の延期要求であって、ユーザによる装置の利用性に対応した延期要因を延長要因として検出する省電力延期要因検出処理と、前記省電力移行要因検出処理で前記省電力移行要因が検出されると、前記電力制御処理で該省電力移行要因に応じた省電力状態へ移行させるとともに、少なくとも前記省電力延期要因検出処理で前記延長要因が検出されている間は、該電力制御処理での該省電力状態への移行を延期させる省電力移行規制処理と、を実行させる省電力制御プログラムを搭載している。
【００６１】
したがって、省電力モードや主電力遮断モード等の省電力状態への移行を要求する省電力移行要因の発生によって該省電力状態へ移行して消費電力を削減することができるとともに、ユーザの画像処理装置１の利用性に対応した延長要因の発生によって該省電力状態への移行を延期することができ、利用性の向上を図りつつ、消費電力を削減する省電力制御を行うことができる。
【００６２】
また、本実施例の画像処理装置１は、各種動作指示操作を行うオペレーションパネル（操作手段）４を備え、移行開始延長要因判定部３３が、前記省電力延期要因である延長要因として、オペレーションパネル４の操作状態を検出している。
【００６３】
したがって、ユーザが、オペレーションパネル４を操作して他の動作要求等を行って画像処理装置１を利用する可能性が高い場合に、省電力状態への移行を延期することができ、利用性を適切に向上させつつ、消費電力を削減することができる。
【００６４】
さらに、本実施例の画像処理装置１は、画像処理装置１から所定範囲の人体を検知する人感センサ（人体検知手段）を備え、移行開始延長要因判定部３３が、前記延長要因として、該人感センサによる人体の検知状態を検出している。
【００６５】
したがって、ユーザが、画像処理装置１の近くにいて画像処理装置１を利用する可能性が高い場合に、省電力状態への移行を延期することができ、利用性を適切に向上させつつ、消費電力を削減することができる。
【００６６】
また、本実施例の画像処理装置１は、周囲環境の照度を検知する照度センサ（照度検知手段）を備え、移行開始延長要因判定部３３が、前記延長要因として、該照度センサによる所定照度を越える照度の検知状態を検出している。
【００６７】
したがって、ユーザが、画像処理装置１の設置されている室内にいて画像処理装置１を利用する可能性が高い場合に、省電力状態への移行を延期することができ、利用性を適切に向上させつつ、消費電力を削減することができる。
【実施例２】
【００６８】
図５〜図６は、本発明の本発明の画像処理装置、省電力制御方法及び省電力制御プログラムの第２実施例を示す図であり、図５は、本発明の画像処理装置、省電力制御方法及び省電力制御プログラムの第２実施例を適用した画像処理装置のコントローラのシステム部に構築される機能モジュールの構成図である。
【００６９】
なお、本実施例は、上記第１実施例の画像処理装置１と同様の画像処理装置に適用したものであり、同様の高西部分には、同一の符号を付与してその説明を簡略化するとともに、図示しない部分についても、必要に応じて、第１実施例の説明で用いた符号をそのまま用いて説明する。
【００７０】
図５において、画像処理装置１のシステム部４０は、第１実施例と同様のコントローラ２上にソフトウェア構成としては、構築され、コントローラ２の他のソフトウェア構成も、図２に示したソフトウェア構成と同様である。
【００７１】
そして、本実施例の画像処理装置１は、本発明の本実施例に対応した省電力制御プログラムが、導入されることで、図４に示すように、すなわち、システム部４０は、第１実施例のシステム部２１と同様の状態管理制御部３１と移行開始判定部３２が構築されるとともに、移行開始延長要因判定部４１及びメモリ部４２等の機能モジュールが構築される。
【００７２】
状態管理制御部３１は、第１実施例と同様に、画像処理装置１の状態、特に、通常動作状態、待機状態、待機状態から省電力モード状態への移行状態、省電力モード状態、省電力モード状態から待機状態への復帰状態及び主電力遮断モードへの遮断移行状態等の電力状態を管理・制御する。
【００７３】
移行開始判定部３２は、第１実施例と同様に、予め設定されている省電力モード移行要因、主電力遮断要因等の省電力移行要因の発生の有無を検出し、該省電力移行要因の発生を検出すると、移行開始延長要因判定部３３に省電力移行要因の発生を通知して、移行開始延長要因判定部３３から延長要求が戻ってこないと、状態管理制御部３１に、該省電力移行要因に応じた電力状態移行処理の開始を指示するトリガを出力する。
【００７４】
移行開始延長要因判定部４１は、移行開始判定部３２から省電力移行要因発生通知があると、メモリ部４２に登録されている延長要因情報Ｊｅの延長要因の発生状態と非延長要因情報Ｊｕの非延長要因（無効要因）の発生の有無を検出して、延長要因が発生していると、該延長要因が発生している間、移行開始判定部３２に状態管理制御部３１への省電力状態移行処理開始トリガの出力を延長させる延長要求を出力するが、このとき、非延長要因が発生していると、移行開始判定部３２への延長要求の出力を取り止める。
【００７５】
メモリ部４２の延長要因情報Ｊｅは、第１実施例と同様であり、非延長要因情報Ｊｕは、例えば、延長要因がオペレーションパネル４の操作である場合における画像処理装置１の操作にユーザ認証を要求しているときの該ユーザ認証の失敗やオペレーションパネル４がＯＦＦ状態等が非延長要因として登録されている。
【００７６】
すなわち、移行開始延長要因判定部４１は、例えば、オペレーションパネル４の操作が延長要因として延長要因情報Ｊｅに登録され、認証の失敗が非延長要因として非延長要因情報Ｊｕに登録されている場合に、ユーザの認証操作がオペレーションパネル４で行われたときに、延長要因であるオペレーションパネル４の操作を検出して、省電力状態移行処理開始トリガの出力を延長させるが、ユーザの認証に失敗すると、認証登録されているユーザによるオペレーションパネル４の操作ではなく、省電力状態移行処理開始トリガの出力を延長させる必要がないと判断して、延長要求の移行開始判定部３２への出力をキャンセルして、状態管理制御部３１に、電力状態移行処理の開始を指示するトリガを出力させる。
【００７７】
また、移行開始延長要因判定部４１は、例えば、延長要因として延長要因情報Ｊｅに印刷が登録され、非延長要因情報Ｊｕに非延長要因としてオペレーションパネル４のＯＦＦが登録されている場合に、オペレーションパネル４がＯＮの状態で印刷が行われると、延長要因である印刷を検出することで、省電力状態移行処理開始トリガの出力を延長させるが、オペレーションパネル４がＯＦＦの状態であると、実行中の印刷が完了すると、次の操作が行わることが少なく、省電力状態移行処理開始トリガの出力を延長させる必要がないと判断して、印刷が完了すると、延長要求の移行開始判定部３２への出力をキャンセルして、状態管理制御部３１に、電力状態移行処理の開始を指示するトリガを出力させる。
【００７８】
そして、本実施例の画像処理装置１は、図７に示すように省電力制御処理を行う。なお、図７において、図４と同様の処理ステップには、同一のステップ番号を付与して、その説明を簡略化する。
【００７９】
すなわち、画像処理装置１は、ＣＰＵ１１の省電力制御プログラムによる動作制御によって、図４に示すように、移行開始判定部３２が、省電力移行要因の発生の有無を検出して（ステップＳ１０１）、省電力移行要因の発生を検出すると、移行開始延長要因判定部４１に省電力移行要因の発生を通知し、移行開始延長要因判定部４１から延長要求があるかチェックする（ステップＳ１０２）。
【００８０】
移行開始判定部３２は、移行開始延長要因判定部３３から延長要求があると（ステップＳ１０２で、有のとき）、非延長要求の存在によって移行開始延長要因判定部４１からの延長要求が無効になったかチェックし（ステップＳ２０１）、延長要求が継続していると（ステップＳ２０１で、無のとき）、該延長要求がなくなるまで、所定周期で、延長要求があるか、また、継続しているかをチェックする（ステップＳ１０２、Ｓ２０１）。
【００８１】
すなわち、移行開始延長要因判定部４１は、移行開始判定部３２から省電力移行要因発生通知があると、メモリ部４２に登録されている延長要因情報Ｊｅの延長要因の発生の有無を検出して、延長要因が発生していると、該延長要因が発生している間、移行開始判定部３２に状態管理制御部３１への省電力状態移行処理開始トリガの出力を延長させる延長要求を出力するが、次に、メモリ部４２に登録されている非延長要因情報Ｊｕの非延長要因の発生の有無を検出して、非延長要因が発生しているかチェックする処理を所定周期で繰り返し実行する（ステップＳ１０２、Ｓ２０１）。
【００８２】
ステップＳ１０２で、移行開始延長要因判定部４１からの延長要求がなくなると、移行開始判定部３２は、移行設定されている省電力状態への移行が可能な状態であるか判定し（ステップＳ１０３）、移行設定されている省電力状態への移行が不可能であると、ステップＳ１０２に戻って、延長要求の有無のチェックから上記同様に処理する（ステップＳ１０２、Ｓ２０１、Ｓ１０３）。
【００８３】
移行開始判定部３２は、ステップＳ１０３で、移行設定されている省電力状態への移行が不可能であると、状態管理制御部３１に省電力状態移行処理開始トリガを出力して、状態管理制御部３１が、省電力モードまたは主電力遮断モード等の省電力状態への移行処理を開始して、省電力制御処理を終了する（ステップＳ１０４）。
【００８４】
一方、移行開始判定部３２は、ステップＳ１０２で、移行開始延長要因判定部４１からの延長要求があって、ステップＳ２０１で、移行開始延長要因判定部４１が、非延長要因の有無を検出して、移行開始判定部３２への延長要求を無効にすると（ステップＳ２０１で、有のとき）、ステップＳ１０３に移行して、移行設定されている省電力状態への移行が可能な状態であるか判定し（ステップＳ１０３）、移行設定されている省電力状態への移行が不可能であると、ステップＳ１０２に戻って、延長要求の有無のチェックから上記同様に処理する（ステップＳ１０２、Ｓ２０１、Ｓ１０３）。
【００８５】
ステップＳ１０３で、移行開始判定部３２は、ステップＳ１０３で、移行設定されている省電力状態への移行が不可能であると、状態管理制御部３１に省電力状態移行処理開始トリガを出力して、状態管理制御部３１が、省電力モードまたは主電力遮断モード等の省電力状態への移行処理を開始して、省電力制御処理を終了する（ステップＳ１０４）。
【００８６】
なお、本実施例においても、第１実施例の場合と同様に、上記延長要因によって、移行開始判定部３２から状態管理制御部３１への省電力状態移行処理開始トリガの出力を延期している間に、図５に示したように、移行中止トリガがあると、状態管理制御部３１への省電力状態移行処理開始トリガの出力を中止して、省電力モードまたは主電力遮断モードへの移行を中止してもよい。
【００８７】
このように、本実施例の画像処理装置１は、前記延長要因（省電力延期要因）に基づく前記省電力状態への移行の延期を無効にする無効要因であって、該延期がユーザによる画像処理装置１の利用性に対して必要性が乏しい延長要因を無効にする無効要因を非延長要因（省電力延期無効要因）として検出する移行開始延長要因判定部（省電力延期無効要因検出手段）４１を備え、前記省電力延期要因に対応する前記省電力延期無効要因を検出すると、前記省電力移行規制手段としての移行開始延長要因判定部４１が、該省電力延期要因に基づく前記省電力状態への移行の延期を無効している。
【００８８】
したがって、省電力状態への移行を延長する要因が解消されたときに、速やかに省電力状態並行することができ、利用性の向上を図りつつ、消費電力をより一層削減することができる。
【００８９】
また、上記各実施例の画像処理装置１は、前記電力制御手段による前記省電力状態への移行を中止する移行中止トリガ（中止要因）を検出する移行開始延長要因判定部（中止要因検出手段）３３を備え、移行開始判定部（省電力移行規制手段）３２が、状態管理制御部３１による前記省電力状態への移行において、移行開始延長要因判定部３３が移行中止トリガを検出すると、該省電力状態への移行を中止させている。
【００９０】
したがって、延長要因等によって、省電力への移行開始が延長されている間に、予め設定されている省電力復帰時刻になった場合、省電力復帰要因が発生した場合等のように省電力モードや主電力遮断への移行がユーザの意図によってキャンセルされたと判断できる場合等において、省電力状態への移行を中止することができ、消費電力の削減を図りつつ、利用性をより一層向上させることができる。
【００９１】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【００９２】
１  画像処理装置
２  コントローラ
３  エンジン
４  オペレーションパネル
１１  ＣＰＵ
１２  プログラムＲＯＭ
１３  ＲＡＭ
１４  ＮＶＲＡＭ
１５  ネットワークＩ／Ｆ
１６  エンジンＩ／Ｆ
１７  パネルＩ／Ｆ
１８  バス
２１  システム部
２２  アプリ部
２３  ネットワークＩ／Ｆ
２４  エンジンＩ／Ｆ
２５  パネルＩ／Ｆ
３１  状態管理制御部
３２  移行開始判定部
３３  移行開始延長要因判定部
３４  メモリ部
４０  システム部
４１  移行開始延長要因判定部
４２  メモリ部
Ｐｃ  ホストコンピュータ
Ｊｅ  延長要因情報
Ｊｕ  非延長要因情報
【先行技術文献】
【特許文献】
【００９３】
【特許文献１】特開２０００−２７６３２２号公報
【図１】
2014011755.tif 000003
【図２】
2014011755.tif 000004
【図３】
2014011755.tif 000005
【図４】
2014011755.tif 000006
【図５】
2014011755.tif 000007
【図６】
2014011755.tif 000008
【図７】
2014011755.tif 000009